(57)【要約】      （修正有）【課題】自動車用エアベントに備えられるダンパーの動きを調節するノブの操作量に応じて光源の色と明るさが変化することにより、夜間のように周囲が暗い場合でも車に搭乗している搭乗者が空調機から車両の内部に供給される風量を視覚的に識別できる自動車用エアベント照明装置を提供する。【解決手段】自動車用エアベント照明装置は、ダクト７００の開閉度を調節するダンパーの作動量を調節するノブ５００と、ノブ５００の操作量に応じて抵抗値が変化する可変抵抗器６００と、可変抵抗器６００によって変化した抵抗値に応じて明るさ及び又は色が変化するように発光する光源１００と、光源１００から発光した光を案内する導光体２００と、導光体２００を介して案内された光を幅広く拡散させる拡散板３００と、拡散板３００を介して幅広く拡散された光が外部に照射されるようにする照射孔４１０が貫通形成されたエアベントハウジング４００と、を有する。【選択図】図１
2020104842.tif 000002
【特許請求の範囲】
【請求項１】
ダクト（７００）の開閉度を調節するダンパーの作動量を調節するノブ（５００）と、
前記ノブ（５００）の操作量に応じて抵抗値が変化する可変抵抗器（６００）と、
前記可変抵抗器（６００）によって変化した抵抗値に応じて明るさ及び又は色が変化するように発光する光源（１００）と、
前記光源（１００）から発光した光を案内する導光体（２００）と、
前記導光体（２００）を介して案内された光を幅広く拡散させる拡散板（３００）と、
前記拡散板（３００）を介して幅広く拡散された光が外部に照射されるようにする照射孔（４１０）が貫通形成されたエアベントハウジング（４００）とを有することを特徴とする自動車用エアベント照明装置。
【請求項２】
前記ノブ（５００）の中心軸には、前記可変抵抗器（６００）の入力軸（６１０）が結合され、前記可変抵抗器（６００）の出力端（６２０）が前記光源（１００）に接続されていることを特徴とする請求項１に記載の自動車用エアベント照明装置。
【発明の詳細な説明】
【技術分野】
【０００１】
本発明は、自動車用エアベント照明装置に関し、特にエアベントに備えられるダンパーの動きを調節するノブの操作量に応じてＬＥＤ等の光源の色及び明るさが変化することにより、夜間のように周囲が暗い場合でも、車に搭乗している搭乗者が空調機から車両の内部に供給される風量を視覚的に識別できるようにした自動車用エアベント照明装置に関する。
【背景技術】
【０００２】
一般に、自動車の車室内には、季節に応じて車室の温度を調節可能とする空調システムが装備されている。そのような空調システムから発生する冷気或いは暖気はダクトを通って、車室内に設置されているインストルメントパネル或いはコンソールに設けられた空気孔を介して、車室の内部に吐出される。空気孔には、ダクトの開口量を調節するダンパーと、前記ダンパーの動きを調節するノブと、前記ノブが設けられ、かつダクトの前面部に固定されるように結合されているハウジングとにより構成されるエアベントが設置され、車室内の乗員がノブを操作することによって、ダクトの開閉量及び風向を調節し、空気の吐出量を調節できるようにしている。
【０００３】
しかし、このような従来のエアベントは視認性が良好でなく、室内の光量が十分でない夜間運行時には、エアベントが開いているか閉じているかどうかを把握することが困難であるという問題があった。そこで、従来から、上記したような問題点を解決するために、バッテリから電力の供給を受けて発光する光源と、光源が発生した光を案内する導光体と、導光体を介して案内される光を幅広く拡散させる拡散板と、拡散板を介して幅広く拡散された光をエアベントの外部に照射できるようにするための照射孔が貫通形成されたエアベントハウジングにより構成される自動車のエアベント用発光装置が開発され、かつ使用されている。
【０００４】
このような従来の自動車のエアベント用発光装置では、拡散板がエアベントハウジングの後部から前面方向に照射孔に固定されるように挿入され、照射孔に挿入された拡散板の後部には、導光体が設置され、拡散板に装着された導光体の一側部には、バッテリーから電源を供給されて発光するＬＥＤが設置され、ＬＥＤで発生した光が導光体の他側部に案内されるとともに、拡散板及び照射孔を介してエアベントのエアベントハウジング外部に幅広く拡散された光として照射されるようになっている。
【０００５】
しかしながら、このような従来の自動車のエアベント用発光装置では、光源から発光する光の明るさ及び色合いが一定であることから、光源から照射された光によって、自動車に搭乗している乗員が風量を視覚的に確認することができないという不都合があった。
【先行技術文献】
【特許文献】
【０００６】
【特許文献１】大韓民国特許第１０−１４２１９２９号公報（登録日：２０１４年０７月１６日）
【特許文献２】大韓民国特許第１０−１８２８７１７号公報（登録日：２０１８年０２月０６日）
【発明の概要】
【発明が解決しようとする課題】
【０００７】
このような従来技術の問題点に鑑み、本発明の主な目的は、エアベント内に設けられた光源の色及び又は明るさがダンパーの動きを調節するノブの操作量に応じて変化するようにすることで、夜間のように周囲が暗い場合でも、車に搭乗している搭乗者が車両の内部に供給される風量を視覚的に識別できるようにする自動車用エアベント照明装置を提供することにある。
【課題を解決するための手段】
【０００８】
上記のような目的を達成するために、本発明は、ダクト（７００）の開閉度を調節するダンパーの作動量を調節するノブ（５００）と、前記ノブ（５００）の操作量に応じて抵抗値が変化する可変抵抗器（６００）と、前記可変抵抗器（６００）によって変化した抵抗値に応じて明るさ及び又は色が変化するように発光する光源（１００）と、前記光源（１００）から発光した光を案内する導光体（２００）と、前記導光体（２００）を介して案内された光を幅広く拡散させる拡散板（３００）と、前記拡散板（３００）を介して幅広く拡散された光が外部に照射されるようにする照射孔（４１０）が貫通形成されたエアベントハウジング（４００）とを有することを特徴とする自動車用エアベント照明装置を提供する。
【発明の効果】
【０００９】
本発明によれば、自動車の搭乗者が空調機から発生する冷気或いは暖気をダクトを介して車の室内に供給されるようにするためにノブを操作すると、ノブの操作量に応じて可変抵抗器の抵抗値が変化して、光源が、その明るさ及び又は色が変化するように発光することとなり、光源から発生した光は、導光体の他側部に案内されるとともに、拡散板を介して幅広く拡散が行われながら照射孔を介してエアベントのエアベントハウジング外部に向けて照射されるようになることで、夜間のように周囲が暗い場合でも自動車の搭乗者が空調機から車室の内部に供給される風量を視覚的に識別することができる効果が得られ、高い利便性が達成される。
【図面の簡単な説明】
【００１０】
【図１】本発明の自動車用エアベント照明装置を示した分解斜視図。
【図２】本発明の自動車用エアベント照明装置用可変抵抗器の設置状態を示す要部拡大斜視図。
【発明を実施するための形態】
【００１１】
以下、添付の図面に基づいて本発明の技術的構成を詳細に説明する。
【００１２】
図１は、本発明の自動車用エアベント照明装置を示した分解斜視図であり、図２は、本発明の自動車用エアベント照明装置用可変抵抗器の設置状態を示す要部拡大斜視図である。
【００１３】
本発明の自動車用エアベント照明装置は、ダクト７００の開閉度を調節するダンパーの作動量を調節するノブ５００と、前記ノブ５００の操作量に応じて抵抗値が変化する可変抵抗器６００と、前記可変抵抗器６００によって変化した抵抗値に応じて明るさ及び又は色が変化するように発光する光源１００と、前記光源１００から発光した光を案内する導光体２００と、前記導光体２００を介して案内された光を幅広く拡散させる拡散板３００と、前記拡散板３００を介して幅広く拡散された光が外部に照射されるようにする照射孔４１０が貫通形成されたエアベントハウジング４００とを有する。
【００１４】
このように構成されている本発明では、拡散板３００がエアベントハウジング４００の後部から前面方向に照射孔４１０に固定されるように挿入され、照射孔４１０に挿入された拡散板３００の後部には、導光体２００が設置され、導光体２００の後部には、発光が行われるＬＥＤ等からなる光源１００が設置される。
【００１５】
一方、エアベントハウジング４００には、一側及び他側の両方向に回転させることにより、ダンパー（図示せず）を操作させて、ダクト７００の開閉程度を自動車の搭乗者が調節できるようにするとともに、操作量に応じて可変抵抗器６００の抵抗値が変化して光源１００を、その明るさ及び色が変化するように発光させるノブ５００が設置される。
【００１６】
ここで、ノブ５００の中心軸には、可変抵抗器６００の入力軸６１０が結合され、可変抵抗器６００の出力端６２０には、光源１００が接続されており、ノブ５００の回転により、可変抵抗器６００が入力軸６１０を介して回転されると、その回転方向及び回転量に応じて可変抵抗器６００の抵抗値が変化し、出力端６２０を介して光源１００に、対応した電流が供給されることにより、光源１００の明るさ及び色が変化するようになる。
【００１７】
これにより、自動車の搭乗者が、空調機（図示せず）から発生する冷気或いは暖気をダクトを介して車の室内に供給するために、ノブ５００を操作すると、ノブ５００の操作量に応じて、可変抵抗器６００の抵抗値が変化し、光源１００が、その明るさ及び色が変化するように発光し、光源１００から発生した光は、導光体２００に導入され、導光体２００に誘導された光は、拡散板３００を介して幅広く拡散が行われながらエアベントハウジング４００に貫通形成された照射孔４１０を介して、所定の照度をもって外部に照射される。
【００１８】
この時、照射孔４１０を介して照射される光源１００の明るさ及び色は、ノブ５００の回転方向及び回転量によって決定される。
【００１９】
このようにノブ５００の操作量に応じて光源１００の色及び明るさが変化することにより、自動車の搭乗者が夜間のように周囲が暗い場合でも光源１００から発生した光の明るさや色に応じてダクトを介して車の内部に供給される風量を視覚的に確認できるようになる。所望に応じて、光源１００の色又は明るさが変化するようにしても良い。
【符号の説明】
【００２０】
１００：光源
２００：導光体
３００：拡散板
４００：エアベントハウジング
５００：ノブ
６００：可変抵抗器
７００：ダクト
【図１】
2020104842.tif 000003
【図２】
2020104842.tif 000004